(57)【要約】【課題】本発明の課題は、２値化された刷版データから、網点部分と文字・罫線部分を、容易に、分離する装置、および、網点画像部分と文字・罫線部分の分離方法を提供することである。【解決手段】網点情報に関連付けられた２値の網点画素から構成される網点データと、網点データを含む刷版データと、を記憶する記憶手段と、刷版データを、受信する刷版データ受信手段と、前記受信された刷版データに使用している網点情報を取得して、前記網点データを参照して、取得した網点情報に対応づけられた網点データを選択する網点データ選択手段と、選択された網点データを取得して、網点データと刷版データとを照合して、網点領域データを抽出する網点領域データ抽出手段と、を備えることを特徴とする刷版データ変更装置である。【選択図】図１
2007194780.tif 000002
【特許請求の範囲】
【請求項１】
網点情報に関連付けられた２値の網点画素から構成される網点データと、
網点データを含む刷版データと、
を記憶する記憶手段と、
刷版データを、受信する刷版データ受信手段と、
前記受信された刷版データに使用している網点情報を取得して、前記網点データを参照して、取得した網点情報に対応づけられた網点データを選択する網点データ選択手段と、
選択された網点データを取得して、網点データと刷版データとを照合して、網点領域データを抽出する網点領域データ抽出手段と、
を備えることを特徴とする刷版データ変更装置。
【請求項２】
前記網点情報は、網点の型とスクリーン線数を有して、
刷版データに使用している網点の型とスクリーン線数とを入力する入力手段、
を備えることを特徴とする請求項１に記載の刷版データ変更装置である。
【請求項３】
網点情報に関連付けられた２値の網点画素から構成される網点データと、
網点データを含む刷版データと、
を利用する刷版データ変更方法であって、
刷版データに使用している網点情報を取得して、前記網点データを参照して、取得した網点情報に対応づけられた網点データを選択する網点データ選択ステップと、
選択された網点データを取得して、網点データと刷版データとを照合して、網点領域データを抽出する網点領域データ抽出ステップと、
を含んだ手順でなされることを特徴とする刷版データ変更方法である。
【請求項４】
コンピュータに組込むことによって、コンピュータを請求項１から請求項２のいずれか1項に記載の刷版データ変更装置として動作させるコンピュータプログラム。
【請求項５】
請求項４に記載のコンピュータプログラムを記録したコンピュータ読取り可能な記録媒体。
【発明の詳細な説明】
【技術分野】
【０００１】
本発明は、刷版工程において、2値化された刷版データから多値階調画像データを作成する、デスクリーニング処理装置、および、デスクリーニング方法に関するものである。
【背景技術】
【０００２】
従来から、刷版工程では、2値化された刷版データ(1bit Tiff等)の文字・罫線部の品質を落とさずに、網点の解像度を変更したり、ドットゲインを調整したりするために、刷版データから、網点領域データを分離して、階調画像データ（8bit Tiff等）を作成（デスクリーニング）して、この階調画像データに対して、ドットゲイン調整処理や解像度変更処理を行っている。
【０００３】
たとえば、特許文献１には、網点の周期性を利用して、刷版データから、４つの方向に対して網点形状のパターン照合処理を行い、網点領域データを抽出して、デスクリーニングする技術が開示されている。（従来技術１）
【特許文献１】特開２００２−２５２７５６号公報（４−７、９−１０頁、図２、５、８、１５，２０−２４）
【発明の開示】
【発明が解決しようとする課題】
【０００４】
ところで、従来技術１では、網点の抽出には、網点の周期性を利用した自己相関演算を行うために、各網点について、４方向の網点形状パターン照合処理が行なわれており、多大な計算時間を要するという欠点があった。また、従来技術１では、網点形状パターン照合処理の４方向の情報を入力・指示しなければならず、そのために、４方向の角度を事前に調べる作業が必要となり、作業者に測定作業の負荷がかかるという問題点があった。
【０００５】
本発明は、このような従来技術を考慮してなされたものであって、本発明の課題は、２値化された刷版データから、網点部分と文字・罫線部分を、容易に、分離する装置、および、網点画像部分と文字・罫線部分の分離方法を提供することである。
【課題を解決するための手段】
【０００６】
本発明は、以下のような解決手段により、前記課題を解決する。すなわち、請求項１に記載の発明は、網点情報に関連付けられた２値の網点画素から構成される網点データと、網点データを含む刷版データと、を記憶する記憶手段と、刷版データを、受信する刷版データ受信手段と、前記受信された刷版データに使用している網点情報を取得して、前記網点データを参照して、取得した網点情報に対応づけられた網点データを選択する網点データ選択手段と、選択された網点データを取得して、網点データと刷版データとを照合して、網点領域データを抽出する網点領域データ抽出手段と、を備えることを特徴とする刷版データ変更装置である。
【０００７】
このように、刷版データに使用している網点データを用いることで、容易に、網点領域を抽出することができる。したがって、刷版データから、網点領域データと文字・罫線領域データとを分離することができる。
【０００８】
請求項２に記載の発明は、前記網点情報は、網点の型とスクリーン線数を有して、刷版データに使用している網点の型とスクリーン線数とを入力する入力手段、を備えることを特徴とする請求項１に記載の刷版データ変更装置である。
【０００９】
請求項３に記載の発明は、網点情報に関連付けられた２値の網点画素から構成される網点データと、網点データを含む刷版データと、を利用する刷版データ変更方法であって、刷版データに使用している網点情報を取得して、前記網点データを参照して、取得した網点情報に対応づけられた網点データを選択する網点データ選択ステップと、選択された網点データを取得して、網点データと刷版データとを照合して、網点領域データを抽出する網点領域データ抽出ステップと、を含んだ手順でなされることを特徴とする刷版データ変更方法である。
【００１０】
請求項４に記載の発明は、コンピュータに組込むことによって、コンピュータを請求項１から請求項２のいずれか1項に記載の刷版データ変更装置として動作させるコンピュータプログラムである。
【００１１】
請求項５に記載の発明は、請求項４に記載のコンピュータプログラムを記録したコンピュータ読取り可能な記録媒体である。
【発明の効果】
【００１２】
本願発明によれば、刷版データと各網点データとの網点形状パターン照合処理は、１回だけであるので、計算時間が短時間ですむ。また、作業者は、使用している網点種類やスクリーン線数の情報を入力するだけで、容易に、刷版データから網点領域と文字・罫線領域を分離することが出来きるので、作業負荷が軽減される。
【発明を実施するための最良の形態】
【００１３】
以下、図面等を参照しながら、本発明の実施の形態について、更に詳しく説明する。図１は、本発明の刷版データ修正システム１の大まかな構成と大まかな処理の流れを説明する図である。刷版データ修正システム１は、刷版データ修正装置１００と、ＲＩＰ３００と、刷版装置５００とが、ネットワーク接続されて、構成されている。
【００１４】
刷版データ修正装置１００は、網点情報（たとえば、網点の型とスクリーン線数）に関連付けられた網点データ１９１ と、網点領域データと文字・罫線領域データとを有する２値の刷版データ３３９と、多値の画像データ１９５と、を記憶する。ＲＩＰ３００は、製版データ３１０と、刷版データ３３９と、を記憶する。刷版装置５００は、刷版データ３３９を記憶して、刷版５１０を作成する。
【００１５】
なお、刷版データ修正システム１は、ネットワーク接続の代わりに、専用線接続でもよいし、各装置がオフラインでも良い。また、ＲＩＰ３００とは、文字コードや画像データを有する製版データから、２値の画素で構成される刷版データを生成する装置である。
【００１６】
次に、本発明の刷版データ修正システム１の大まかな処理の流れを説明する。刷版データ修正装置１００は、ＲＩＰ３００が作成した刷版データ３３９を、受信する（図１（１））。
【００１７】
刷版作成者９００は、刷版データ３３９に使用している網点情報（網点の型とスクリーン線数）と、修正に使用する網点情報（網点の型とスクリーン線数）と、を入力する（同（２））。刷版データ修正装置１００は、入力された網点情報を受け付けて、刷版データ３３９に使用している網点データ１９１を選択する（同（３））。
【００１８】
刷版データ修正装置１００は、刷版データ３３９を、網点領域データと文字罫線領域データと、に分離する（同（４））。
【００１９】
刷版データ修正装置１００は、網点領域データから、画像データ１９５を作成して、所望の画像修正処理をして、ＲＩＰ３００に送信する。ＩＰ３００は、画像データ１９５から、網点領域データを生成して、返信する（同（５））。
【００２０】
刷版データ修正装置１００は、返信された網点領域データと文字罫線領域データとを合成して、刷版データ３３９を作成して、刷版装置に送信する。刷版装置５００は、刷版データ３３９を受信して、刷版５１０を作成する（同（６））。
【００２１】
図２は、本発明による刷版データ変更装置の詳細な構成図である。刷版データ変更装置１００は、刷版データ受信手段１１０と、網点情報入力手段１２０と、網点データ選択手段１３０と、網点領域データ抽出手段１４０と、画像データ作成手段１６０と、画像データ修正手段１７０と、網点領域データ置換手段１８０と、刷版データ送信手段１１５と、記憶手段１９０と、を備える。記憶手段１９０は、網点データ１９１と、画像データ１９５と、網点領域データ１９７と、刷版データ３３９と、を記憶する。
【００２２】
網点データ１９１は、網点の型とスクリーン線数とに関連付けられた２値の網点画素から構成されるデータである。
【００２３】
刷版データ受信手段１１０は、刷版データ３３９を、受信する。
【００２４】
網点情報入力手段１２０は、刷版データに使用している網点のスクリーン線数と網点の型と、刷版データの変更する網点のスクリーン線数と網点の型と、を入力する。網点データ選択手段１３０は、前記入力された刷版データ３３９に使用しているスクリーン線数を取得して、網点データ１９１を参照して、前記取得したスクリーン線数に対応付けられた網点データ１９１を選択する。
【００２５】
網点領域データ抽出手段１４０は、選択された網点データ１９１を取得して、網点データ１９１と刷版データ３３９とを照合して、網点領域データ１９７を抽出する。
【００２６】
画像データ作成手段１６０は、網点領域データを取得して、画像データ１９５を作成する。
【００２７】
画像データ修正手段１７０は、画像データ１９５を修正する。網点領域データ置換手段１８０は、画像データ１９５送信して、網点領域データの返信を受け付けて、刷版データの網点領域データ１９７と置き換える。刷版データ送信手段１１５は、網点領域データを置き換えた刷版データ３３９を送信する。
【００２８】
刷版データ受信手段１１０と、網点情報入力手段１２０と、網点データ選択手段１３０と、網点領域データ抽出手段１４０と、画像データ作成手段１６０と、画像データ修正手段１７０と、網点領域データ置換手段１８０と、刷版データ送信手段１１５と、は、コンピュータプログラムである。網点データ１９１と、画像データ１９５と、網点領域データ１９７と、対応データ１９９と、刷版データ３３９と、は、コンピュータが可読なデータである。記憶手段１９０は、メモリである。
【００２９】
図３は、スクリーン線数２５０線の刷版データ３３９のパターンの例である。刷版データ３３９は、刷版を作成するための２値データである。刷版データ３３９のパターンは、黒画素と白画素とから構成されて、原点座標（０，０）は、図３の左上である。刷版データ３３９は、網点部３９９ａと非網点部３９９ｂ（たとえば、罫線部や文字部）とから構成される。網点部３９９ａは、スクリーン線３３９ｃの間隔に配列されている。
【００３０】
図４は、網点の種類を説明する図である。網点は、２値の画素で構成される。網点の種類は、「網点型」と「スクリーン線」で分類される。「網点型」は、画素で表す網点の形状である。「スクリーン線」は、１インチあたりに配置される網点の個数である。
【００３１】
「網点型」には、たとえば、網目、万線、波状、砂目などの種類がある。「スクリーン線」には、たとえば、１２５、１５０、２００、２５０などの種類がある。図４には、網目１５０線１％網点 、・・、網目１５０線２４％網点 、・・ 、網目１５０線５０％網点、・ 、網目１５０線９９％網点などが例示されている。
【００３２】
図５は、網点パターンを説明する図である。スクリーン線数２５０線の網目網点は、「画素数＝１０ × １０」であって、１％網点は、１個の黒画素と９９個の白画素とを持ち、２４％網点は、２４個の黒画素と７６個の白画素とを持ち、５０％網点は、５０個の黒画素と５０個の白画素とを持つことなどが例示されている。
【００３３】
図６は、スクリーン線数２５０線の網目２４％網点データの例である。網点データは、網点パターンの、黒画素＝１として、白画素＝０とした、２値データである。図６には、図５の２４％網点パターンの網点データが例示されている。
【００３４】
図７は、網点領域を抽出する手順の例である。スクリーン線数２５０線網目の２４％網点パターン（網点画素数＝１０×１０）を用いて、２５０線網目で作成された刷版データ３９９を照合して、網点領域を抽出する手順を説明する。
【００３５】
照合領域座標点（０、０）から網点画素数に対応した「画素数＝１０×１０」の照合領域を、刷版データ３９９から、抽出する（図７（１））
【００３６】
照合領域と網点パターンを重ねて照合すると、一致しないので、２４％網点領域でないと判定する（同（２））。
【００３７】
照合領域座標点を移動して、座標点（４、０）から網点画素数に対応した「画素数＝１０×１０」の照合領域を、刷版データ３９９から、抽出する（同（３））。照合領域と網点パターンを重ねて照合すると、一致するので、網点領域と判定する（同（４））。
【００３８】
図８は、照合の計算式の説明図である。
ａ、ｂは、それぞれ、照合領域座標点のｘ座標値と、ｙ座標値である。ｘ, ｙは、最大値
が網点画素数となる整数値である。Ｉ(ｘ ＋ ａ, ｙ ＋ ｂ)は、照合領域の画素の値である。Ｔ(ｘ,ｙ ) は、網点データの値である。
【００３９】
ＸＯＲとは、Ｉ(ｘ ＋ ａ, ｙ ＋ ｂ)≠ Ｔ(ｘ,ｙ )のとき、「１」となる演算である。各画素の照合の結果、一致したときには、「Ｉ(ｘ ＋ ａ, ｙ ＋ ｂ) ＸＯＲ   Ｔ(ｘ,ｙ )＝０」の値が得られて、一致しなければ、「Ｉ(ｘ ＋ ａ, ｙ ＋ ｂ) ＸＯＲ   Ｔ(ｘ,ｙ )＝１」の値が得られる。
【００４０】
したがって、照合領域の演算結果の総和が、「Ｒ（ａ、ｂ） =０」の値のときには、照合が一致したことが分かり、照合領域の演算結果の総和が、「Ｒ（ａ、ｂ） =０」の値より大きければ、照合が一致しなかったことが分かる。
【００４１】
図９は、照合が一致しない例である。図９には、図７の（２）の照合が例示されている。刷版データの照合領域座標点（０、０）から「画素数＝１０×１０」の刷版データを抽出して、スクリーン線数２５０線網目２４％網点データ「網点画素数＝１０×１０」と、照合する。この演算結果は、「３８」となり、Ｒ（０，０）≠０であるために、照合が一致しなかったことが分かる。
【００４２】
図１０は、照合が一致した例である。図１０には、図７の（４）の照合が例示されている。刷版データの照合領域座標点（４、０）から「画素数＝１０×１０」の刷版データを抽出して、スクリーン線数２５０線網目２４％網点データ「網点画素数＝１０×１０」と、照合する。この演算結果は、Ｒ（０，０）＝０となるために、照合が一致したことが分かる。照合が一致したので、照合領域は、網点領域であると判定される。
【００４３】
図１１と図１２は、照合が一致しない別の例である。図１１は、２５０線網目１％網点データの説明図である。図１２は、２５０線網目１％網点データの照合例である。刷版データの照合領域座標点（４、０）から「画素数＝１０×１０」の刷版データを抽出する。スクリーン線数２５０線網目１％網点データと、照合領域と、を重ねて照合すると、一致しないので、１％網点領域でないと判定する
【００４４】
図１３は、刷版データの網点領域の例である。照合の結果、網点領域と判定された刷版データの例示である。
【００４５】
図１４は、刷版データから網点領域を選択するフローチャートである。
（１）刷版作成者９００は、刷版に使用した網点の種類の情報(網点の型や線数）を入力する。網点情報入力手段１２０は、入力された網点の種類の情報を取得して、刷版に使用された網点データを抽出する。（ステップＳ１００）
（２）選択していない照合領域のデータがあれば、次のステップに進む。刷版データを全て照合領域として選択していれば、終了する。（ステップＳ１１０）
（３）網点領域データ抽出手段１４０は、刷版データから、照合領域のデータを選択する。（ステップＳ１２０)
（４）選択していない網点データがあれば、次のステップに進む。網点データを全て選択していれば、ステップＳ１１０に戻る。（ステップＳ１３０)
（５）網点領域データ抽出手段１４０は、刷版に使用した網点の種類から網点データを一つ選ぶ。（ステップＳ１４０)
（６）網点領域データ抽出手段１４０は、照合領域と網点データを重ね合わせて、Ｒ(Ｘ,Ｙ)を求める。（ステップＳ１５０)
（７）網点領域データ抽出手段１４０Ｒ(Ｘ,Ｙ)＝０であれば、次のステップに進む。Ｒ(Ｘ,Ｙ)＝０でなければ、ステップＳ１３０に戻る。（ステップＳ１６０)
（８）網点領域データ抽出手段１４０は、照合領域を網点領域（平滑化処理を行うべき領域）として記録する。ステップＳ１１０に戻る。（ステップＳ１７０)
【００４６】
従って、刷版データから網点領域を選択することで、網点領域と文字罫線領域を分離できる。
【００４７】
以上詳しく説明したように、本願発明によれば、刷版データと各網点データとの網点形状パターン照合処理は、１回だけであるので、計算時間が短時間で済むようになった。また、作業者は、使用している網点種類やスクリーン線数の情報を入力するだけで、容易に、刷版データから網点領域と文字・罫線領域を分離することが出来きるので、作業負荷が軽減することが可能となった。
【図面の簡単な説明】
【００４８】
【図１】本発明の刷版データ修正システム１の大まかな構成と大まかな処理の流れ
【図２】本発明による刷版データ変更装置の詳細な構成図
【図３】スクリーン線数２５０線の刷版データのパターンの例
【図４】網点の種類の説明図
【図５】網点パターンの説明図
【図６】２５０線網目２４％網点データの例
【図７】網点領域を抽出する手順の例
【図８】照合の計算式の説明図
【図９】照合が一致しない例。図７の（２）の照合
【図１０】照合が一致した例。図７の（４）の照合
【図１１】２５０線網目１％網点データの説明図。
【図１２】２５０線網目１％網点データの照合例
【図１３】刷版データの網点領域の例
【図１４】刷版データから網点領域を選択するフローチャート
【符号の説明】
【００４９】
１  刷版データ修正システム
１００  刷版データ修正装置
１１０  刷版データ受信手段
１１５  刷版データ送信手段
１２０  網点情報入力手段
１３０  網点データ選択手段
１４０  網点領域データ抽出手段
１６０  画像データ作成手段
１７０  画像データ修正手段
１８０  網点領域データ置換手段
１９０  記憶手段
１９１  網点データ
１９５  画像データ
１９７  網点領域データ
３００  ＲＩＰ
３１０  製版データ
３３９  刷版データ
５１０  刷版
５００  刷版装置
【図１】
2007194780.tif 000003
【図２】
2007194780.tif 000004
【図３】
2007194780.tif 000005
【図４】
2007194780.tif 000006
【図５】
2007194780.tif 000007
【図６】
2007194780.tif 000008
【図７】
2007194780.tif 000009
【図８】
2007194780.tif 000010
【図９】
2007194780.tif 000011
【図１０】
2007194780.tif 000012
【図１１】
2007194780.tif 000013
【図１２】
2007194780.tif 000014
【図１３】
2007194780.tif 000015
【図１４】
2007194780.tif 000016